(57)【特許請求の範囲】
【請求項１】
ユーザの要求記述情報を取得することであって、前記要求記述情報は、文字列に対応し、ユーザがアクセスを所望する特定のネットワークリソースを記述する、ことと、
前記要求記述情報に基づいて前記特定のネットワークリソースについての少なくとも１つのリソース構成要素を取得することであって、前記少なくとも１つのリソース構成要素を取得することは、前記要求記述情報を分析して前記特定のネットワークリソースを構成するリソース構成要素を記述する少なくとも１つの構成要素特徴記述情報を入手すること、及び前記少なくとも１つの構成要素特徴記述情報に一致するリソース構成要素を取得することを含む、ことと、
前記少なくとも１つのリソース構成要素に基づいてネットワークリソースを組み立てることと、
組み立てられた前記ネットワークリソースについての１つまたは複数の特徴と前記要求記述情報との間の一致度が予め設定された一致度の閾値より高いことを判定することと、
前記一致度が前記一致度の閾値より高い場合に、組み立てられた前記ネットワークリソースを前記ユーザにプッシュすることと、
プッシュされた前記ネットワークリソースについての前記ユーザからの要求を要求履歴情報として蓄積し、蓄積された前記要求履歴情報から把握される要求嗜好情報に基づいて前記少なくとも１つの構成要素特徴記述情報を修正することと、
を含む方法。
【請求項２】
前記少なくとも１つのリソース構成要素が前記ネットワークリソースを構成する構成要素である、
請求項１に記載の方法。
【請求項３】
前記少なくとも１つのリソース構成要素が、前記ネットワークリソースの機能の一部を実現するための機能構成要素である、
請求項１に記載の方法。
【請求項４】
前記少なくとも１つの構成要素特徴記述情報に一致する、前記少なくとも１つのリソース構成要素を取得することが、
前記少なくとも１つの構成要素特徴記述情報を、構成要素ライブラリ内の複数の構成要素エレメントと一致させることと、
前記少なくとも１つの構成要素特徴記述情報のそれぞれが対応する構成要素エレメントに一致することを判定することに応答して、各構成要素特徴記述情報に対応する１つまたは複数の構成要素エレメントを前記構成要素ライブラリから取得することと、を含む、
請求項１に記載の方法。
【請求項５】
前記少なくとも１つの構成要素特徴記述情報に一致する前記少なくとも１つのリソース構成要素を取得することが、
前記少なくとも１つの構成要素特徴記述情報を、構成要素ライブラリ内の複数の構成要素エレメントと一致させることと、
前記少なくとも１つの構成要素特徴記述情報の１つの構成要素特徴記述情報が対応する構成要素エレメントに一致しないことを判定することと、
前記１つの構成要素特徴記述情報に応じてリソース構成要素を取得するために、前記１つの構成要素特徴記述情報をリソース生成プラットフォームに送信することと、
前記リソース生成プラットフォームによって返された前記リソース構成要素を受信することと、を含む、
請求項１に記載の方法。
【請求項６】
前記少なくとも１つの構成要素特徴記述情報に一致するリソース構成要素の取得前に、
前記ユーザの識別情報に基づいて、前記ユーザの要求履歴情報を取得することと、
前記ネットワークリソースに関する前記ユーザの要求嗜好情報を入手するために、前記ユーザの前記要求履歴情報を分析することと
をさらに含む、
請求項１に記載の方法。
【請求項７】
ユーザの要求記述情報を取得する第１取得モジュールであって、前記要求記述情報は、文字列に対応し、ユーザがアクセスを所望する特定のネットワークリソースを記述する、前記第１取得モジュールと、
前記要求記述情報に基づいて前記特定のネットワークリソースについての少なくとも１つのリソース構成要素を取得する第２取得モジュールであって、前記第２取得モジュールは、前記要求記述情報を分析して前記特定のネットワークリソースを構成するリソース構成要素を記述する少なくとも１つの構成要素特徴記述情報を入手する分析ユニットと、前記少なくとも１つの構成要素特徴記述情報に一致するリソース構成要素を取得する取得ユニットと、を含む、第２取得モジュールと、
前記少なくとも１つのリソース構成要素に基づいてネットワークリソースを組み立てる組立モジュールと、
組み立てられた前記ネットワークリソースについての１つまたは複数の特徴と前記要求記述情報との間の一致度が予め設定された一致度の閾値より高いことを判定し、前記一致度が前記一致度の閾値より高い場合に、組み立てられた前記ネットワークリソースを前記ユーザにプッシュし、プッシュされた前記ネットワークリソースについての前記ユーザからの要求を要求履歴情報として蓄積するプッシュモジュールと、
蓄積された前記要求履歴情報から把握される要求嗜好情報に基づいて前記少なくとも１つの構成要素特徴記述情報を修正する修正モジュールと、
を備える装置。
【請求項８】
前記少なくとも１つのリソース構成要素は、前記ネットワークリソースを構成する構成要素または前記ネットワークリソースの機能の一部を実現するための機能構成要素である、
請求項７に記載の装置。
【請求項９】
前記取得ユニットがさらに、
前記少なくとも１つの構成要素特徴記述情報を、構成要素ライブラリ内の複数の構成要素エレメントと一致させ、
前記少なくとも１つの構成要素特徴記述情報のそれぞれが対応する構成要素エレメントに一致することを判定することに応答して、各構成要素特徴記述情報に対応する１つまたは複数の構成要素エレメントを前記構成要素ライブラリから取得する、
請求項７に記載の装置。
【請求項１０】
前記取得ユニットがさらに、
前記少なくとも１つの構成要素特徴記述情報を構成要素ライブラリ内の複数の構成要素エレメントと一致させ、
前記少なくとも１つの構成要素特徴記述情報の前記１つの構成要素特徴記述情報が対応する構成要素エレメントに一致しないことを判定することに応答して、前記要求記述情報または前記１つの構成要素特徴記述情報に応じて前記少なくとも１つのリソース構成要素を生成するために、前記要求記述情報及び１つの構成要素特徴記述情報をリソース生成プラットフォームに送信し、
前記リソース生成プラットフォームによって返された前記少なくとも１つのリソース構成要素を受信する、
請求項７に記載の装置。
【請求項１１】
前記ユーザの識別情報に応じて、前記ユーザの要求履歴情報を取得し、前記ネットワークリソースに関する前記ユーザの要求嗜好情報を入手するために、前記ユーザの前記要求履歴情報を分析する、第４取得モジュールをさらに備える、
請求項７に記載の装置。
【請求項１２】
ユーザの要求記述情報を取得することであって、前記要求記述情報は、文字列に対応し、ユーザがアクセスを所望する特定のネットワークリソースを記述する、ことと、
前記要求記述情報に基づいて前記特定のネットワークリソースについての少なくとも１つのリソース構成要素を取得することであって、前記少なくとも１つのリソース構成要素を取得することは、前記要求記述情報を分析して前記特定のネットワークリソースを構成するリソース構成要素を記述する少なくとも１つの構成要素特徴記述情報を入手すること、及び前記少なくとも１つの構成要素特徴記述情報に一致するリソース構成要素を取得することを含む、ことと、
前記少なくとも１つのリソース構成要素に基づいてネットワークリソースを組み立てることと、
組み立てられた前記ネットワークリソースについての１つまたは複数の特徴と前記要求記述情報との間の一致度が予め設定された一致度の閾値より高いことを判定することと、
前記一致度が前記一致度の閾値より高い場合に、組み立てられた前記ネットワークリソースを前記ユーザにプッシュすることと、
プッシュされた前記ネットワークリソースについての前記ユーザからの要求を要求履歴情報として蓄積し、蓄積された前記要求履歴情報から把握される要求嗜好情報に基づいて前記少なくとも１つの構成要素特徴記述情報を修正することと、
を含む操作を実行するために、１つまたは複数のプロセッサによって実行可能なコンピュータ実行可能命令を格納した１つまたは複数の記憶装置。
【発明の詳細な説明】
【技術分野】
【０００１】
（関連出願の相互参照）
本出願は、その全体が本明細書に参考文献として援用される、「Ｍｅｔｈｏｄ  ａｎｄ  Ａｐｐａｒａｔｕｓ  ｆｏｒ  Ｇｅｎｅｒａｔｉｎｇ  Ｎｅｔｗｏｒｋ  Ｒｅｓｏｕｒｃｅｓ」と題する、２０１４年１１月４日出願の中国特許出願第２０１４１０６１４０１１．９号の外国優先権を主張する。
【０００２】
本開示はインターネット技術に関し、より詳細には、ネットワークリソースの生成方法及び装置に関する。
【背景技術】
【０００３】
コンピュータ技術の持続的な発展に伴って、インターネットはますまず広く利用されており、ユーザはインターネットを通じて所望のネットワークリソースへのアクセスを得る。例えば、ユーザがキーワードを入力し、特定のマッチング戦略に応じてキーワードを利用することにより、検索エンジンがデータベースにおいて検索を行い、キーワードに一致するネットワークリソースをユーザに提供する。
【０００４】
上述の方法においては、検索エンジンによって返されるネットワークリソースはユーザが入力したキーワードと一致するが、ユーザの要求との一致度が低い場合があり、その場合ユーザの要求を満たすことができない。
【発明の概要】
【０００５】
発明を実施するための形態において以下に説明する簡略化した形式でいくつかの概念を導入するために本概要を提示する。本概要は、請求項に記載された主題のすべての主要な特徴または本質的な特徴を識別することを意図するものではなく、請求項に記載された主題の範囲の決定の補助として単独で利用されることを意図されるものではない。「技術（複数可）または技術的解決法（複数可）」の用語は例えば、上述の、また、本開示を通じた文脈によって可能である装置（複数可）、システム（複数可）、方法（複数可）及び／またはコンピュータ可読命令を指してもよい。
【０００６】
本開示の複数の態様は、ネットワークリソースとユーザの要求との間の一致度を向上させ、それによってユーザの要求を満たすためのネットワークリソースの生成方法及び装置を提供する。
【０００７】
本開示の一態様は、以下の操作を含むネットワークリソース生成方法を提供する。
ユーザの要求記述情報を取得することと、
要求記述情報に応じて、ユーザが所望するネットワークリソースを構成する構成要素、またはネットワークリソースの機能の一部を実現するための機能構成要素である少なくとも１つのリソース構成要素を取得することと、
少なくとも１つのリソース構成要素に応じて、ネットワークリソースを組み立てること。
【０００８】
本開示の別の態様は、
ユーザの要求記述情報を取得する第１取得モジュールと、
要求記述情報に応じて、ユーザが所望するネットワークリソースを構成する構成要素、またはネットワークリソースの機能の一部を実現するための機能構成要素である、少なくとも１つのリソース構成要素を取得する第２取得モジュールと、
少なくとも１つのリソース構成要素に応じて、ネットワークリソースを組み立てる組立モジュールと、
を含むネットワークリソース生成装置を提供する。
【０００９】
本開示において、ネットワークリソース生成装置は、ユーザの要求記述情報を取得し、要求記述情報に応じてユーザが所望するネットワークリソースを構成するか、または実現する、少なくとも１つのリソース構成要素を取得し、少なくとも１つのリソース構成要素に応じてユーザが所望するネットワークリソースを組み立て、組み立てられたネットワークリソースがユーザの要求をさらに満たし、より高いユーザの要求との一致度を有するようにユーザの要求に応じてユーザのためにネットワークリソースをカスタマイズするという目的を達成し、それによってネットワークリソースに関するユーザの要求をさらに満たす。
【００１０】
本開示の実施形態における技術的解決法をより明確に説明するために、例示的な実施形態を説明するために必要な添付図面を以下に簡単に紹介する。以下の説明において添付図面は明らかに、本開示の実施形態の一部を表すのみに過ぎず、当業者は創造努力なしに、これらの添付図面から他の図面を得てもよい。
【図面の簡単な説明】
【００１１】
【図１】本開示の例示的な実施形態による、例示的なネットワークリソース生成方法の概略フローチャートである。
【図２】本開示の例示的な実施形態による、操作１０４の例示的な実施態様の概略フローチャートである。
【図３】本開示の別の例示的な実施形態による、操作１０４の別の例示的な実施態様の概略フローチャートである。
【図４】本開示の別の実施形態による、例示的なネットワークリソース生成方法の概略フローチャートである。
【図５】本開示の例示的な実施形態による、例示的なネットワークリソース生成装置の概略構造図である。
【図６】本開示の別の実施形態による、ネットワークリソース生成装置の概略構造図である。
【００１２】
本開示の目的、技術的解決法及び利点を明確にするために、本開示の例示的な実施形態における添付図面を参照して、本開示の例示的な実施形態における技術的解決法について説明する。以下の説明における例示的な実施形態は明らかに、本開示の実施形態のすべてではなく、実施形態の一部を表すのみにすぎない。本開示における例示的な実施形態に基づき、当業者によって創造努力なしに得られるすべての他の実施形態は本開示の保護の範囲に収まるものとする。
【００１３】
図１は、本開示の例示的な実施形態による、例示的なネットワークリソース生成方法の概略フローチャートである。図１に示すように、本方法は、以下の操作を含む。
【００１４】
１０２では、ユーザの要求記述情報を取得する。
【００１５】
１０４では、上述の要求記述情報に応じて、少なくとも１つのリソース構成要素を取得する。リソース構成要素は、ユーザが所望するネットワークリソースを構成する構成要素、またはネットワークリソースの機能の一部を実現するための機能構成要素である。
【００１６】
１０６では、少なくとも１つのリソース構成要素に応じて、ユーザが所望するネットワークリソースを組み立てる。
【００１７】
この例示的な実施形態は、ネットワークリソース生成装置によって実行されてもよいネットワークリソース生成方法を提供する。ネットワークリソース生成装置は、例えば、汎用検索エンジン、またはショッピングアプリケーションシステム、金融アプリケーションシステムなどの様々なアプリケーションシステムによって提供される検索エンジンなどの、ユーザの要求に応じてネットワークリソースをユーザに提供するための様々な検索エンジンとしてもよい。
【００１８】
この例示的な実施形態において、ユーザの要求記述情報は、ユーザが所望するネットワークリソースを記述する。要求記述情報は例えば、１つまたは複数のキーワード、文章、または情報のリストなどの様々な形式において実装されてもよい。従来技術におけるキーワードと比較すると、本実施形態の要求記述情報はより広範な意味を有し、より柔軟に実装される。
【００１９】
この例示的な実施形態におけるネットワークリソースは、一般的な意味のネットワークリソースである。インターネットを通じて入手される情報、データ、またはオブジェクトはすべて、この例示的な実施形態において言及されるネットワークリソースに属する。例えば、インターネット上の質問への回答はネットワークリソースに属し、インターネット上の商品の情報はネットワークリソースに属し、インターネット上の特定のユーザの登録情報はネットワークリソースに属し、インターネット上の映像リソースはネットワークリソースに属し、インターネットによって提供される特定のサービスもまた、ネットワークリソースに属する。
【００２０】
例えば、様々な金融アプリケーションによって提供される金融商品は、ネットワークリソースに属する。ユーザの各々の特性に応じて金融アプリケーションがカスタマイズされた金融商品を提供するとユーザが期待する場合、カスタマイズされた金融商品もまた、ネットワークリソースに属する。様々なショッピングウェブサイトによって提供される商品またはサービス情報はネットワークリソースに属し、特殊図柄または特殊素材を有する衣類などのユーザの各々の特性に応じてカスタマイズされた商品をショッピングウェブサイトが提供することをユーザが所望する場合、カスタマイズされた商品もまた、ネットワークリソースに属する。
【００２１】
特定のネットワークリソースへのアクセスを有することをユーザが所望する際に、所望のネットワークリソースは要求記述情報を通じて記述されてもよく、ネットワークリソース生成装置が要求記述情報に応じてユーザのために所望のネットワークリソースを生成するように、要求記述情報がネットワークリソース生成装置に提供される。例えばネットワークリソース生成装置は、対話型インターフェースをユーザに提供してもよく、ユーザは対話型インターフェースを介して、要求記述情報をネットワークリソース生成装置に提供する。代替的に、ネットワークリソース生成装置がユーザのクライアントによって送信された取得要求または問合要求を受信し、取得要求または問合要求から要求記述情報を取得するように、ユーザはユーザのクライアント端末を介して取得要求または問合要求をネットワークリソース生成装置に送信し、取得要求または問合要求内の要求記述情報を送信してもよい。
【００２２】
ネットワークリソース生成装置はユーザの要求記述情報の取得後、要求記述情報に応じて少なくとも１つのリソース構成要素を取得する。ネットワークリソースの特定のタイプによって、リソース構成要素はユーザが所望するネットワークリソースを構成する構成要素または、ユーザが所望するネットワークリソースの機能の一部を実現するための機能構成要素となる。したがって、ネットワークリソース生成装置は少なくとも１つのリソース構成要素の取得後、少なくとも１つのリソース構成要素に応じてユーザが所望するネットワークリソースを組み立ててもよい。例えば装置は、少なくとも１つのリソース構成要素に応じてこれらのリソース構成要素に一致する構成要素テンプレートを決定し、構成要素テンプレートに応じてリソース構成要素をともに組み立てて、ネットワークリソースを形成してもよい。構成要素テンプレートは、リソース構成要素間の組立関係を定義する。
【００２３】
少なくとも１つのリソース構成要素が構成要素テンプレートに対応するか、または２つ以上の構成要素テンプレートに対応してもよいことに留意すべきである。２つ以上の構成要素テンプレートに対応する場合、構成要素テンプレートのそれぞれに対応するリソース構成要素は、まったく同一ではない。さらに、２つ以上の構成要素テンプレートに対応する場合、少なくとも１つのリソース構成要素は２つ以上のネットワークリソースに組み込まれてもよく、これらのネットワークリソースはユーザの要求、すなわちユーザが所望するネットワークリソースを理論的に満たす。
【００２４】
上述の説明から、この例示的な実施形態により、ユーザの要求記述情報に応じてユーザの要求を識別し、組み立てられたネットワークリソースがユーザの要求をさらに満たし、ユーザの要求との一致度が高まるようにユーザの要求に応じてユーザが所望するネットワークリソースをカスタマイズし、これによってユーザの要求を満たしてもよい。さらに、この例示的な実施形態における技術によってカスタマイズされたネットワークリソースは比較的少数であり、それによって、従来技術の検索エンジンと比較してネットワークリソース生成装置の処理負担が軽減され、ユーザによるネットワークリソースの取得の効率性が向上する。
【００２５】
本開示の例示的な実施形態における、ネットワークリソース、リソース構成要素、及びそれらの間の関係を実施例によって以下に示す。
【００２６】
ユーザが所望するネットワークリソースが商品などの物理的エンティティである場合、ユーザの要求記述情報に応じて取得されるリソース構成要素はエンティティを構成する特定の構成要素である。例えば、ユーザは特殊図柄を有するカップ蓋及びカップ本体を有するカップを取得することを所望し、ネットワークリソース生成装置はユーザの要求記述情報に応じて、２つのリソース構成要素、すなわち、カップ蓋及びカップ本体を取得してもよい。すなわち、カップ蓋はリソース構成要素として作用してもよく、カップ本体もまたリソース構成要素として作用してもよく、２つのリソース構成要素はユーザが所望するカップを構成する両方の構成要素である。別の実施例として、回転可能かつ取り外し可能な椅子をユーザが所望し、それによって、ヘッドレスト、背もたれ、シート、アームレスト、支持バー（ガスバー）、ヒンジ、５つの爪、爪車、椅子の固定のためのねじを含む複数のリソース構成要素をネットワークリソース生成装置が取得する。これらのリソース構成要素は、回転可能な椅子を構成するためのすべての構成要素である。
【００２７】
ユーザが所望するネットワークリソースが、少なくともＮ個のサブ機能（Ｎは任意の整数であってもよい）を有するアプリケーションなどの非物理的または仮想エンティティネットワークリソースに属する場合、ネットワークリソース生成装置は、アプリケーションの機能構成要素として作用するために、ユーザの要求記述情報に応じて各サブ機能を取得してもよい。別の実施例として、ユーザが所望するネットワークリソースは、６％を上回る給付及び５年を下回る金融サイクルを有するなどの、資本保全に必要なカスタマイズされた金融商品としてもよく、それによってネットワークリソース生成装置は、ユーザの要求記述情報に応じて、（資本保全の必要性を満たすための）保険商品及び（金利及び金融サイクルの必要性を満たすための）中期または短期の企業ローン商品を取得し、カスタマイズされた金融商品のリソース構成要素として作用してもよい。
【００２８】
図２に示すように、任意の実施態様において、上述の操作１０４の一実装処理は以下を含む。
【００２９】
１０２２では、少なくとも１つの構成要素特徴記述情報を入手するために、要求記述情報を分析する。構成要素特徴記述情報は、ユーザが所望するネットワークリソースを構成するリソース構成要素を記述する。
【００３０】
１０２４では、少なくとも１つの構成要素特徴記述情報に一致する少なくとも１つのリソース構成要素を取得する。
【００３１】
例示的な実施形態の技術により、構成要素特徴記述情報を入手するためにユーザの要求記述情報を分析し、構成要素特徴記述情報に一致するリソース構成要素をさらに取得するが、それはユーザの要求を自動的に識別することと同等であり、さらにユーザの要求を満たすリソース構成要素を取得し、これらの構成要素を最終的にユーザが所望するネットワークリソースに組み込み、それによって、ユーザのためにネットワークリソースをカスタマイズして、ユーザの要求を満たすという目的を達成する。
【００３２】
１つの構成要素特徴記述情報が１つまたは複数のリソース構成要素に対応してもよいことに留意すべきである。例えばユーザが資本保全に必要な６％の金利を有する１年の金融商品を必要とする場合、保険会社により保証された６％の金利のローン商品、または６％の保証給付を有する銀行金融商品として、要求記述情報を記述してもよい。ネットワークリソース生成装置は、以下に記述する構成要素特徴記述情報を入手するために要求記述情報を分析する。約定金利＞＝６％かつサイクル＜＝１年の有利子構成要素、または、サイクル＜＝１年を有する有利子構成要素、及び６％の最低金利を有し、保険会社によって保証される保険給付構成要素。
【００３３】
任意の実施形態においては、様々なリソース構成要素及び、リソース構成要素のそれぞれに対応する構成要素エレメントを格納するために、構成要素ライブラリを提供してもよい。構成要素エレメントは、構成要素エレメントに対応するリソース構成要素を記述する。
【００３４】
１０２４における操作の実施態様は上述の構成要素ライブラリに基づき、少なくとも１つの構成要素特徴記述情報に応じて構成要素ライブラリにおいてマッチングを実行することと、少なくとも１つの構成要素特徴記述情報におけるそれぞれの構成要素特徴記述情報が対応する構成要素エレメントに一致する場合、構成要素ライブラリにおけるそれぞれの構成要素特徴記述情報に対応する構成要素エレメントに対応するリソース構成要素を取得することと、対応する構成要素エレメントに一致しない構成要素特徴記述情報が少なくとも１つの構成要素特徴記述情報の間に存在する場合、リソース生成プラットフォームが要求記述情報及び／または少なくとも１つの構成要素特徴記述情報に応じて少なくとも１つのリソース構成要素を生成するように、要求記述情報及び／または少なくとも１つの構成要素特徴記述情報をリソース生成プラットフォームへと送信することと、リソース生成プラットフォームによって返される少なくとも１つのリソース構成要素を受信することを含む。
【００３５】
構成要素特徴記述情報及び構成要素エレメントの両方がリソース構成要素を記述するが、ユーザの要求記述情報を分析することによって構成要素特徴記述情報が入手されるため、それは通常リソース構成要素の構成要素エレメントとは一部異なることに留意すべきである。したがって上述のマッチング処理において、１つの構成要素特徴記述情報は、構成要素エレメントに一致しなくてもよいか、１つの構成要素エレメントに一致してもよいか、または２つ以上の構成要素エレメントに一致してもよい。
【００３６】
上述の実施形態において、それぞれの構成要素特徴記述情報が対応する構成要素エレメントに一致することは、ユーザが所望するネットワークリソースを組み立てるために必要なリソース構成要素が入手されること、すなわち、ユーザが所望するネットワークリソースに一致する構成要素エレメントに対応するリソース構成要素が組み込まれることを示す。構成要素特徴記述情報の一部が対応する構成要素エレメントに一致することができないことは、ユーザが所望するネットワークリソースを組み立てるために必要なリソース構成要素のすべてが入手されるわけではない、すなわち、ユーザが所望するネットワークリソースを組み立てることができないことを示す。ユーザが所望するネットワークリソースを組み立てることができない場合、ユーザにネットワークリソースを提供するために、ネットワークリソース生成装置は、ユーザの要求記述情報及び／または要求記述情報から分析された少なくとも１つの構成要素特徴記述情報を、リソース生成プラットフォームに提供する。リソース生成プラットフォームは、ユーザの要求記述情報及び／または要求記述情報から分析された少なくとも１つの構成要素特徴記述情報に応じて少なくとも１つのリソース構成要素を生成し、これらのリソース構成要素に応じてユーザが所望するネットワークリソースをネットワークリソース生成装置が組み立て得るように、それらをネットワークリソース生成装置に返す。
【００３７】
リソース生成プラットフォームは、様々なリソース構成要素提供者によって提供される生成プラットフォーム、例えば、カップ蓋提供者によって提供されるカップ蓋製造プラットフォーム、金融商品提供者によって提供される金融商品リリースプラットフォーム、または衣類生産ラインもしくは衣類提供者によって提供される衣類処理プラットフォームなどであってもよい。
【００３８】
さらに、任意に、ネットワークリソース生成装置は、構成要素ライブラリ間に存在しない、リソース生成プラットフォームによって提供されるリソース構成要素を、構成要素ライブラリ内に追加してもよい。
【００３９】
さらに、任意に、特殊色のカップ蓋の提供者などのいくつかの従来の産業においては、特殊色のカップ蓋を製造する必要がある場合に、対応する生産ラインまたは装置をまず購入する必要があり、大量の需要がない場合、提供者の入出力比が非常に低くなるか、または不足すら生じる。このような問題に関して、ユーザが所望するネットワークリソースを組み立てることができない場合、ネットワークリソース生成装置は、要求記述情報及び／または、要求記述情報から分析された少なくとも１つの構成要素特徴記述情報を要求プール内に格納し、その後要求プール内の同じ要求数が閾値に達した後に、リソース生成プラットフォームにそれらを送信し、それによってリソース生成プラットフォームの入出力比を高めてもよい。この実装は、いくつかの従来の産業において主に応用可能である。インターネットサービスなどの特定のサービスに関しては、要求が存在する限り限界費用はほぼ０であり、それによって、ネットワークリソース生成装置がユーザの要求記述情報及び／または、要求記述情報から分析された少なくとも１つの構成要素特徴記述情報を対応する提供者のリソース生成プラットフォームに提供することにより、ユーザがネットワークリソースを取得する時間を短縮し、所望のネットワークリソースをユーザが取得する効率性を向上させてもよい。
【００４０】
任意の実装において図３は、図２に示す実装方法に基づいて実装されてもよい１０４における上述の操作の別の例示的な実装を示し、特に１０２４の前に以下の操作をさらに含む。
【００４１】
１０２６では、ユーザの識別情報に応じて、ユーザの要求履歴情報を取得する。
【００４２】
１０２８では、ネットワークリソースに関するユーザの要求嗜好情報を入手するために、ユーザの要求履歴情報を分析する。
【００４３】
１０３０では、要求嗜好情報に応じて、少なくとも１つの構成要素特徴記述情報を修正する。
【００４４】
この実装においては、ユーザの要求履歴情報を考慮することにより、ユーザの要求履歴情報に応じて、ユーザの要求嗜好（すなわち、今回所望されるネットワークリソース）を分析し、要求嗜好に応じて、ユーザの要求記述情報から分析された構成要素特徴記述情報をさらに修正する。上述の修正は主に、新規構成要素特徴記述情報を追加することと、構成要素特徴記述情報間の階層関係を調整することと、及び／または構成要素特徴記述情報を調節することなどを含む。
【００４５】
例えば、ユーザが６％の金利を有する１年の金融商品を要求すると仮定すると、要求記述情報は、６％の金利を有するローン商品または６％の給付を有する銀行金融商品として表されてもよい。要求記述情報から分析された構成要素特徴記述情報は金利＞＝６％及びサイクル＜＝１年を有する有利子構成要素として表されてもよく、ユーザの要求履歴情報は、Ｙｕ’  Ｅ  Ｂａｏなどの資金ファンド上でのユーザの投資であってもよい。ユーザの要求履歴情報に応じて分析されたユーザの要求嗜好は、ユーザが堅実投資ユーザであることである。要求嗜好に基づき、金利＞＝６％、サイクル＜＝１年、堅実な商品タイプを有する有利子構成要素として表されてもよい修正後の構成要素特徴記述情報を入手するために、構成要素特徴記述情報を修正する。
【００４６】
上記に基づき、１０２４における操作により、修正後の構成要素特徴記述情報に応じてマッチングを実行し、修正後の構成要素特徴記述情報に一致する少なくとも１つのリソース構成要素を取得する。
【００４７】
この例示的な実施形態において、ネットワークリソース生成装置は、ユーザの要求嗜好に応じて構成要素特徴記述情報の修正を実行し、それによって、修正後の構成要素特徴記述情報がユーザのこの要求をさらに満たし、またさらに、一致するリソース構成要素によって組み立てられたネットワークリソースが、ユーザの要求をさらに満たす。
【００４８】
図４は、本開示の別の例示的な実施形態に応じた、例示的なネットワークリソース生成方法の概略フローチャートである。図４に示すように、方法は以下を含む。
【００４９】
４０２では、ユーザの要求記述情報を取得する。
【００５０】
４０４では、少なくとも１つの構成要素特徴記述情報を入手するために、要求記述情報を分析する。構成要素特徴記述情報は、ユーザが所望するネットワークリソースを構成するリソース構成要素を記述する。
【００５１】
４０６では、ユーザの識別情報に応じて、ユーザの要求履歴情報を取得する。
【００５２】
４０８では、ネットワークリソースに関するユーザの要求嗜好情報を入手するために、ユーザの要求履歴情報を分析する
【００５３】
４１０では、要求嗜好情報に応じて、少なくとも１つの構成要素特徴記述情報を修正する。
【００５４】
４１２では、修正後の構成要素特徴記述情報に応じて構成要素ライブラリにおいてマッチングを実行し、少なくとも１つの構成要素特徴記述情報間のそれぞれの構成要素特徴記述情報が対応する構成要素エレメントに一致するか否かを判定する。判定結果が正である場合、４１４での操作を実行するが、そうでない場合、４１６での操作を実行する。
【００５５】
４１４では、それぞれの構成要素特徴記述情報に対応する、リソース構成要素に対応する構成要素エレメントを構成要素ライブラリから取得し、４１８での操作を実行する。
【００５６】
４１６では、リソース生成プラットフォームが要求記述情報及び／または修正後の構成要素特徴記述情報に応じて少なくとも１つのリソース構成要素を生成するように、要求記述情報及び／または修正後の構成要素特徴記述情報をリソース生成プラットフォームへと送信する。リソース生成プラットフォームによって返された少なくとも１つのリソース構成要素を受信し、４１８での操作を実行する。
【００５７】
４１８では、上述の少なくとも１つのリソース構成要素に応じて、ユーザが所望するネットワークリソースを組み立てる。
【００５８】
４２０では、ネットワークリソースをユーザにプッシュする。
【００５９】
４０２から４２０までの上述の操作については先の例示的な実施形態の説明を参照してもよく、本明細書においては詳述しない。
【００６０】
この例示的な実施形態において、ネットワークリソース生成装置はユーザが所望するネットワークリソースの組み立て後、ネットワークリソースをユーザにプッシュする。例えば、ネットワークリソース生成装置がネットワークリソースをネットワークリソース生成装置のインターフェース上に表示するか、またはユーザのクライアント端末を介してネットワークリソースをユーザに表示してもよい。
【００６１】
任意の実装において、ネットワークリソースの特徴とユーザの要求記述情報との間の一致度が予め設定された一致度の閾値よりも高い場合に、ネットワークリソース生成装置はネットワークリソースをユーザにプッシュしてもよい。
【００６２】
ネットワークリソース生成装置が複数のネットワークリソースを組み立てる場合、ネットワークリソース生成装置は、複数のネットワークリソースのうちの、予め設定された一致度の閾値よりも高い要求記述情報との一致度を有する特徴を有するネットワークリソースをユーザにプッシュしてもよい。
【００６３】
さらに、ユーザはまた、ネットワークリソース生成装置によってプッシュされたネットワークリソースに関する満足度または意見などの情報をネットワークリソース生成装置に返してもよい。ネットワークリソース生成装置は満足度または意見のフィードバックなどの情報をユーザから受信し、このような情報をユーザの現在時刻要求の情報として利用して、ユーザの要求履歴情報の蓄積を実現し、それによってその後、ユーザの嗜好傾向を形成する。
【００６４】
この例示的な実施形態の技術は、ユーザの要求記述情報とのより高い一致度を有するネットワークリソースをユーザにプッシュすることによって、ユーザにプッシュされたネットワークリソースのユーザの要求との一致度をさらに向上させ、それによってユーザの要求をネットワークリソースにおいてさらに満たしてもよい。さらに、異なるユーザが異なる要求を有し、すべてのユーザが自身の独自の要求を有することを考慮すると、この例示的な実施形態において提示される本方法は、異なるユーザの異なる要求及び異なるユーザの独自の要求に関して、各ユーザの要求または独自の要求を満たすネットワークリソースをユーザにプッシュしてもよい。さらに、この例示的な実施形態において提供する本方法は、新規の電子商取引モデルに貢献し得る。すなわち、異なる提供者が自身のリソースをユーザのためのリソース構成要素として構成要素ライブラリへと発行し、自身の要求に応じて所望のネットワークリソースをカスタマイズしてもよい。
【００６５】
先の例示的な方法の実施形態のそれぞれが簡略化のために、一連の操作の組み合わせとして表されるが、本開示によると、本開示は説明された動作の順に限定されず、いくつかの操作が他の順によって、または同時に実行されてもよいことを当業者が理解すべきであることに留意すべきである。さらに、本明細書において説明される実施形態は例示的な実施形態であり、関与する操作及びモジュールは本開示にとって必要でない場合があることを当業者はまた理解すべきである。
【００６６】
上述の例示的な実施形態において、各実施形態の説明はそれぞれの強調点を有し、特定の例示的な実施形態において詳細に説明されない部分は別の例示的な実施形態の関連する説明を参照することによって知られ得る。
【００６７】
図５は、本開示の実施形態による、例示的なネットワークリソース生成装置５００の概略構造図である。図５に示すように、ネットワークリソース生成装置５００は、１つもしくは複数のプロセッサ５０２（複数可）またはデータ処理ユニット（複数可）及び記憶装置５０４を含んでもよい。ネットワークリソース生成装置５００は、１つまたは複数の入力／出力インターフェース（複数可）５０６、及びネットワークインターフェース（複数可）５０８をさらに含んでもよい。記憶装置５０４は、コンピュータ可読媒体の実施例である。
【００６８】
コンピュータ可読媒体は、情報記憶装置を実装するために、任意の方法または技術を利用してもよい永久及び非永久、可搬及び非可搬媒体を含む。情報はコンピュータ可読命令、データ構造、ソフトウェアモジュール、または任意のデータであってもよい。計算装置によってアクセス可能な情報を格納してもよいコンピュータ記憶装置の媒体の実施例は、相変化メモリ（ＰＣＭ）、スタティックランダムアクセスメモリ（ＳＲＡＭ）、ダイナミックランダムアクセスメモリ（ＤＲＡＭ）、他のタイプのＲＡＭ、ＲＯＭ、電気的消去可能プログラマブル読み出し専用記憶装置（ＥＥＰＲＯＭ）、フラッシュメモリ、内部メモリ、ＣＤ‐ＲＯＭ、ＤＶＤ、光学記憶装置、磁気テープ、磁気ディスク、任意の他の磁気記憶装置、または任意の他の非通信媒体を含んでもよいがそれに限定されない。本明細書において定義されるように、コンピュータ可読媒体は、変調されたデータ信号及び搬送波などの一時的媒体を含まない。
【００６９】
記憶装置５０４は、第１取得モジュール５１０、第２取得モジュール５１２、及び組立モジュール５１４を含む複数のモジュールまたはユニットを格納してもよい。
【００７０】
第１取得モジュール５１０は、ユーザの要求記述情報を取得する。
【００７１】
第１取得モジュール５１０と接続する第２取得モジュール５１２は、第１取得モジュール５１０によって取得された要求記述情報に応じて、少なくとも１つのリソース構成要素を取得する。リソース構成要素は、ユーザが所望するネットワークリソースを構成する構成要素、またはネットワークリソースの機能の一部を実現するための機能構成要素である。
【００７２】
第２取得モジュール５１２と接続する組立モジュール５１４は、第２取得モジュール５１２によって取得された少なくとも１つのリソース構成要素に応じて、ネットワークリソースを組み立てる。
【００７３】
任意の実装において、図６に示すように、第２取得モジュール５１２の１つの例示的な実装構造は、分析ユニット５１２２及び取得ユニット５１２４を含む。
【００７４】
分析ユニット５１２２は、少なくとも１つの構成要素特徴記述情報を入手するために要求記述情報に関する分析処理を実行する。構成要素特徴記述情報は、ネットワークリソースを構成するリソース構成要素を記述する。
【００７５】
分析ユニット５１２２と接続する取得ユニット５１２４は、分析ユニット５１２２によって取得された少なくとも１つの構成要素特徴記述情報に一致する少なくとも１つのリソース構成要素を取得する。
【００７６】
任意の実施態様において、取得ユニット５１２４は、少なくとも１つの構成要素特徴記述情報に応じて、構成要素ライブラリにおいてマッチングを実行する。
【００７７】
少なくとも１つの構成要素特徴記述情報の内のそれぞれの構成要素特徴記述情報が対応する構成要素エレメントに一致する場合、それぞれの構成要素特徴記述情報に対応する構成要素エレメントに対応するリソース構成要素を構成要素ライブラリから取得する。
【００７８】
少なくとも１つの構成要素特徴記述情報の内に、対応する構成要素エレメントに一致しない構成要素特徴記述情報が存在する場合、要求記述情報及び／または少なくとも１つの構成要素特徴記述情報をリソース生成プラットフォームへと送信し、それによって、要求記述情報及び／または少なくとも１つの構成要素特徴記述情報に応じてリソース生成プラットフォームが少なくとも１つのリソース構成要素を生成し、リソース生成プラットフォームによって返される少なくとも１つのリソース構成要素が受信される。
【００７９】
任意の実施態様において、図６に示すように、ネットワークリソース生成装置５００は、記憶装置５０４に格納される第４取得モジュール６０２及び修正モジュール６０４をさらに含んでもよい。
【００８０】
第４取得モジュール６０２は、取得ユニット５１２４がリソース構成要素を取得する前に、ユーザの識別情報に応じてユーザの要求履歴情報を取得し、ネットワークリソースに関するユーザの要求嗜好情報を入手するためにユーザの要求履歴情報を分析する。したがって、第４取得モジュール６０２及び分析ユニット５１２２と接続する修正モジュール６０４は、第４取得モジュール６０２によって取得された要求嗜好情報に応じて分析ユニット５１２２によって取得された少なくとも１つの構成要素特徴記述情報を修正する。さらに、取得ユニット５１２４と接続する修正モジュール６０４は、修正後の構成要素特徴記述情報を取得ユニット５１２４にさらに提供する。
【００８１】
任意の実施態様において、図６に示すように、ネットワークリソース生成装置５００は、記憶装置５０４内に格納されたプッシュモジュール６０６をさらに含んでもよい。
【００８２】
組立モジュール５１４と接続するプッシュモジュール６０６は、組立モジュール５１４によって組み立てられたネットワークリソースをユーザにプッシュする。
【００８３】
さらに任意に、ネットワークリソースの特徴と要求記述情報との間の一致度が予め設定された一致度の閾値よりも高い場合に、プッシュモジュール６０６はネットワークリソースをユーザにプッシュする。
【００８４】
この例示的な実施形態において提供されるネットワークリソース生成装置は、ユーザの要求記述情報を取得することによって、要求記述情報に応じてユーザが所望するネットワークリソースを構成するかまたは実装する、少なくとも１つのリソース構成要素を取得し、少なくとも１つのリソース構成要素に応じて、ユーザが所望するネットワークリソースを組み立て、ユーザの要求に応じてユーザのために、ネットワークリソースをカスタマイズするという目的を達成し、それによって組み立てられたネットワークリソースがユーザの要求をさらに満たし、ユーザの要求とのより高い一致度を有することによって、ネットワークリソースにおいてユーザの要求をさらに満たす。
【００８５】
便宜上、また簡略化のために、上述のシステム詳細な作業処理、装置、及びユニットについては、本明細書において詳述されない、上述の方法の実施形態における対応する処理を参照してもよいことが、当業者によって明確に理解され得る。
【００８６】
本開示において提示されるいくつかの例示的な実施形態において、他の方法で開示されるシステム、装置、及び方法が実装されてもよいことを理解すべきである。例えば、説明される装置の実施形態は例示に過ぎない。例えば、ユニット分割は単に論理機能分割であり、実際の実施態様では他の分割であってもよい。例えば、複数のユニットまたは構成要素を組み合わせるか、もしくは別のシステムに統合されてもよいか、またはいくつかの特徴を無視するかまたは実行しなくてもよい。さらに、示された、または論じられた相互結合もしくは直接結合または通信接続は、いくつかのインターフェースを通じて実装されてもよい。装置またはユニット間の間接結合または通信接続は、電子的、機械的、または他の形態によって実装されてもよい。
【００８７】
個別の部分として説明されたユニットは、物理的に分離していても分離していなくてもよく、ユニットとして示された部分は、物理的ユニットであってもそうでなくてもよいか、１つの位置に配置されてもよいか、または複数のネットワークユニットに分散されてもよい。例示的な実施形態の解決策の目的を達成するための実際の必要性に応じてユニットの一部またはすべてを選択してもよい。
【００８８】
さらに、本開示の例示的な実施形態における機能ユニットは、１つの処理ユニット、または複数の処理ユニットに統合されてもよく、ユニットのそれぞれが単独で物理的に存在してもよく、または２つ以上のユニットが１つのユニットに統合されてもよい。統合されたユニットはハードウェアの形式で実装されてもよいか、またはハードウェア及びソフトウェア機能ユニットの形式で実装されてもよい。
【００８９】
ソフトウェア機能ユニットの形式で実装される、統合されたユニットは、コンピュータ可読媒体内に格納されてもよい。コンピュータ可読媒体内に格納されるソフトウェア機能ユニットは、（パーソナルコンピュータ、サーバ、またはネットワーク装置であってもよい）計算装置またはプロセッサに本開示の例示的な実施形態において説明される方法の操作の一部またはすべてを実行するよう命令するためのコンピュータ実行可能命令を含む。コンピュータ可読媒体は、コンピュータ実行可能命令を格納することができる、ＵＳＢフラッシュドライブ、着脱式ハードディスク、読み出し専用メモリ（ＲＯＭ）、ランダムアクセスメモリ（ＲＡＭ）、磁気ディスク、または光学ディスクなどの任意の媒体を含む。
【００９０】
上述の例示的な実施形態は単に、本開示の技術的解決法を説明するものであり、限定すべきものではないことに留意すべきである。本開示は先の例示的な実施形態を参照して詳細に説明されているが、技術的解決策に対応する本質が本開示の例示的な実施形態の趣旨及び原理から逸脱しない限り、上述の実施形態において開示される技術的解決法に修正を加えてもよいか、またはその部分的な技術的特徴における等価な置換もまた加えられてもよいことを当業者は理解すべきである。
【図１】
0006652562.tif 000002
【図２】
0006652562.tif 000003
【図３】
0006652562.tif 000004
【図４】
0006652562.tif 000005
【図５】
0006652562.tif 000006
【図６】
0006652562.tif 000007